(57)【要約】【課題】端子とプリント配線板を接続する際の半田付け作業を廃止し簡単で信頼性の高い内部接続が可能となる配線用遮断器の付属装置を得る。【解決手段】筐体３と、この筐体３に固定され外部接続を行うコの字状端子４と、筐体内に収納され、不足電圧検出や漏電検出などの機能を付加する機能ユニット５とで構成される配線用遮断器の付属装置１００において、コの字状端子４は、外部接続を行う外部接続面４ａと、この外部接続面４ａと対向する面に機能ユニット５の一部であるプリント配線板６の導電部を当接する当接面４ｂとを有し、当接面４ｂにプリント配線板６をねじで螺着する。【選択図】図１
2011150845.tif 000002
【特許請求の範囲】
【請求項１】
絶縁性樹脂で形成された筐体と、この筐体に固定され外部接続を行う外部接続端子と、前記筐体内に収納され、機能を付加する機能ユニットとで構成される配線用遮断器の付属装置において、
前記外部接続端子は、外部接続を行う外部接続面と、この外部接続面と対向する面に前記機能ユニットの一部であるプリント配線板の導電部を当接する当接面とを有するコの字状端子とし、前記当接面に前記プリント配線板をねじで螺着することを特徴とする配線用遮断器の付属装置。
【請求項２】
前記機能ユニットと前記コの字状端子を接続するリード線は、前記プリント配線板における前記当接面とは反対面に前記プリント配線板と共に螺着され電気的接続が行われることを特徴とする請求項１に記載の配線用遮断器の付属装置。
【請求項３】
前記コの字状端子の前記当接面を前記プリント配線板と同一平面状に配置したことを特徴とする請求項１または請求項２に記載の配線用遮断器の付属装置。
【請求項４】
前記筐体は、前記コの字状端子の凹部に配設され、前記外部接続面に螺着されるネジと係合する係止部を有することを特徴とする請求項１ないし請求項３のいずれか１項に記載の配線用遮断器の付属装置。
【請求項５】
前記プリント配線板は、前記導電部の周辺に延びる第１のスリットと、前記導電部より前記プリント配線板の内側にこの第１のスリットと直交する第２のスリットとを設けたことを特徴とする請求項１ないし請求項４のいずれか１項に記載の配線用遮断器の付属装置。
【発明の詳細な説明】
【技術分野】
【０００１】
この発明は、電路の電線を短絡事故から保護する配線用遮断器に取付けられて、配線用遮断器に機能を付加する付属装置に関し、詳しくは付属装置の内部配線の簡略化に関するものである。
【背景技術】
【０００２】
従来の配線用遮断器の付属装置では、絶縁体で構成される筐体と、外部配線を接続する外部接続端子と、筐体内に収納され、配線用遮断器に漏電検出などの機能を付加する機能ユニットと、この機能ユニットの一部であるプリント配線板と外部接続端子とを電気的に接続するリード線と、で構成されており、外部接続端子とリード線との電気的接続には半田付けが用いられている（たとえば、特許文献１参照。）。
【０００３】
また、外部接続端子とプリント配線板との接続方法に関しては、外部接続端子の一端をピン形状とすると共に、プリント配線板に外部接続端子のピン形状の一端を挿入するランドを設け、このランドに外部接続端子の一端を挿入し、半田付けを行うことで接続するようにしたものが知られている（たとえば、特許文献２参照。）。
【先行技術文献】
【特許文献】
【０００４】
【特許文献１】特開２０００−１４９７５８号  図３
【特許文献２】特開平７−２２０９４号  図１
【発明の概要】
【発明が解決しようとする課題】
【０００５】
上記のように従来の配線用遮断器においては、内部配線にリード線を用いる場合、外部接続端子とリード線の半田付けが必要であり、また筐体内でのリード線の整形作業やリード線の収納スペースが必要になるという問題があった。
【０００６】
また、外部接続端子の一端をプリント配線板のランドに挿入し半田付けする接続方法の場合には、外部接続端子のガタツキ等により半田付け部分に応力が集中しやすく、経年的に半田クラックが発生して接続不良となる恐れがあるという問題があった。
【０００７】
この発明は、上記のような課題を解決するためになされたもので、簡単で信頼性の高い内部接続が可能となる配線用遮断器の付属装置を得ることを目的とするものである。
【課題を解決するための手段】
【０００８】
この発明の配線用遮断器の付属装置は、絶縁性樹脂で形成された筐体と、この筐体に固定され外部接続を行う外部接続端子と、前記筐体内に収納され、機能を付加する機能ユニットとで構成される配線用遮断器の付属装置において、外部接続端子は、外部接続を行う外部接続面と、この外部接続面と対向する面に機能ユニットの一部であるプリント配線板の導電部を当接する当接面とを有するとし、該コの字状端子の当接面に前記プリント配線板の導電部をねじで螺着することを特徴とする。
【発明の効果】
【０００９】
この発明によれば、外部接続端子は、外部接続を行う外部接続面と、この外部接続面と対向する面に機能ユニットの一部であるプリント配線板の導電部を当接する当接面とを有するコの字状端子とし、当接面にプリント配線板の導電部をねじで螺着するので、半田付けを用いる必要がなく、プリント配線板と外部接続端子の接続及び固定を容易に行うことができる。
【図面の簡単な説明】
【００１０】
【図１】本発明の実施の形態１における配線用遮断器の付属装置を示す側面断面図である。
【図２】本発明の実施の形態１における配線用遮断器の付属装置を示す側面断面の要部拡大図である。
【図３】本発明の実施の形態１における配線用遮断器の付属装置のコの字状端子を示す斜視図である。
【図４】本発明の実施の形態１における配線用遮断器の付属装置のコの字状端子を示す側面図である。
【図５】本発明の実施の形態１における配線用遮断器の付属装置に収納されるプリント配線板の上面を示す平面図である。
【図６】本発明の実施の形態１における配線用遮断器の付属装置を示す分解斜視図である。
【発明を実施するための形態】
【００１１】
実施の形態１.
図１はこの発明の実施の形態１における配線用遮断器の付属装置１００を示す側面断面図、図２は付属装置１００の側面断面の要部拡大図、図３はコの字状端子４を示す斜視図、図４はコの字状端子４を示す側面図、図５はプリント配線板６の上面を示す平面図、図６は付属装置１００を示す分解斜視図である。
【００１２】
図１において、配線用遮断器の付属装置１００は、共に絶縁物の合成樹脂で形成されたカバー１及びベース２とからなる筐体３と、この筐体３に固定され外部接続を行う外部接続端子であるコの字状端子４と、筐体３の内部に収納され、配線用遮断器に例えば不足電圧検出機能や漏電検出機能等を付加する機能ユニット５と、から構成されている。機能ユニット５は、付属装置１００の不足電圧検出機能や漏電検出機能等の制御回路６３を有するプリント配線板６と、このプリント配線板６に制御電源を供給する電源ユニット７と、から構成されている。また、カバー１は、コの字状端子４をカバー１に装着したときコの字状端子４の凹部４ｅ（図４に図示）に抱え込まれるように配設される係止部１ａと、中にナット１２を挿入しナット１２が回転しないようにするため６角状の形状としたナット用凹部１ｂとを有している。
【００１３】
図２に示すように、コの字状端子４には、端子固定ネジ８がプリント配線板６の裏面側よりプリント配線板６に設けられた導電部であるネジ螺着部６ａ、６ｂ、６ｃ、６ｄ（図５に図示）の孔６ａ１、６ｂ１、６ｃ１、６ｄ１（図５に図示）をそれぞれ貫通し螺着している。端子固定ネジ８がプリント配線板６を貫通してコの字状端子４に螺着することにより、プリント配線板６はカバー１に固定される。また、電源ユニット７とプリント配線板６を接続するためのリード線１０（図６に１０ａ、１０ｂ、１０ｃと個別に図示する）の圧着端子１１（図６に１１ａ、１１ｂ、１１ｃと個別に図示する）が、プリント配線板６と共に端子固定ネジ８（図６に８ａ、８ｂ、８ｃ、８ｄと個別に図示する）によりコの字状端子４に共締めされる。
【００１４】
図３、４に示すように、コの字状端子４は、上面側となる一端に端子ネジ９により外部電線を接続する外部接続面４ａを、下面側となる他端に外部接続面５ａと対向するように設けられ、端子固定ネジ８によりプリント配線板６の電気的接続と固定を行う当接面４ｂとを有しており、外部接続面４ａと当接面４ｂは略平行となっている。また、外部接続面４ａには端子ネジ９を螺着するためのネジ孔４ｃが設けられ、当接面４ｂには端子固定ネジ８を螺着するための端子固定ネジ孔４ｄが設けられている。４個のコの字状端子４がカバー１に装着されると、４個のコの字状端子４の当接面４ｂは全てがほぼ同一平面となるように配置され、プリント配線板６のネジ螺着部６ａ〜６ｄがコの字状端子４の当接面４ｂにそれぞれ当接する。
【００１５】
また、ケース１には、図２に示すように、コの字状端子４の外部接続面４ａが配設される面に端子ネジ９を逃がすための孔部１ｃが設けられており、この孔部１ｃにより係止部１ａが形成される。コの字状端子４は、外部電線を接続し固定する端子ネジ９をコの字状端子４の外部接続面４ａに螺着することにより、端子ネジ９と係止部１ａが係合しカバー１からコの字状端子４が脱落することを防止する。
【００１６】
プリント配線板６には、図５に示すように、一端にコの字状端子４との電気的接続を行うための導電部であるネジ螺着部６１ａ、６１ｂを有し、このネジ螺着部６１ａ、６１ｂにはそれぞれ孔６１ａ１、６１ｂ１と設けられている。プリント配線板６の他端は、同じくコの字状端子４との電気的接続を行うための導電部であるネジ螺着部６１ｃ、６１ｄを有し、このネジ螺着部６１ｃ、６１ｄにはそれぞれ孔６１ｃ１、６１ｄ１と設けられている。各ネジ螺着部６１ａ〜６１ｄには、プリント配線板６の裏面側にも導電部がそれぞれ設けられ、スルーホールにより表裏各面の導電部はそれぞれ電気的に接続されている。
【００１７】
また、ネジ螺着部６１ａと６１ｂとの間には、ネジ螺着部６１ａとネジ螺着部６１ｂを分割するように第１のスリットであるスリット大６２ａが設けられ、同様にしてネジ螺着部６１ｃと６１ｄとの間には、ネジ螺着部６１ｃと６１ｄを分割するように同じく第１のスリットであるスリット大６２ｂが設けられている。
【００１８】
さらに、プリント配線板６には、各ネジ螺着部６１ａ〜６１ｄの導電部よりプリント配線板６の内側すなわち制御回路６３側にスリット大６２ａ、６２ｂの切り込み方向に対し垂直方向に幅の狭い第２のスリットであるスリット小６４ａ〜６４ｈがそれぞれ設けている。詳しくは、ネジ螺着部６１ａの近傍にスリット小６４ａ及び６４ｂが、ネジ螺着部６１ｂの近傍にスリット小６４ｃ及び６４ｄが、ネジ螺着部６１ｃの近傍にスリット小６４ｅ及び６４ｆが、ネジ螺着部６１ｄの近傍にスリット小６４ｇ及び６４ｈが、それぞれ設けられている。スリット小６４ａ〜６４ｈにより、スリット小６４ａ〜６４ｈ部のプリント配線板６の幅は、各ネジ螺着部６１ａ〜６１ｄにおける導電部の幅より狭くなっている。また、電源ユニット７の出力用のリード線を接続するため、孔６５ａを有し導電部である接続部６５がプリント配線板６に設けられており、接続部６５の導体部はプリント配線板６の両面に設けられ、スルーホールにより電気的に接続されている。
【００１９】
次に、付属装置１００の組み立て手順について図６により説明する。
まず、コの字状端子４を凹部４ｅにカバー１の係止部１ａを抱え込むようにカバー１に挿入し、端子ネジ９をコの字状端子４の外部接続面４ａに設けられたネジ孔４ｃに螺着する。端子ネジ９の螺着により、端子ネジ９がカバー１の係止部１ａに係止されるので、組み立て途中でコの字状端子４はカバー１より脱落することがない。
【００２０】
続いて、コの字状端子４が装着されたカバー１を上下逆さの状態とし、カバー１のナット用凹部１ｂにナット１２を挿入した後、プリント配線板６の各ネジ螺着部６１ａ〜６１ｄが当接面４ｂに接触するように、プリント配線板６をコの字状端子４の当接面４ｂ上に載置する。そして、電源ユニット７への電源入力線であるリード線１０ａの圧着端子１１ａと共にプリント配線板６の裏面側からネジ螺着部６１ｃの孔６１ｃ１に端子固定ネジ８ａを貫通させ、コの字状端子４の当接面４ｂに設けられた固定ネジ孔４ｄに端子固定ネジ８ａを螺着する。同様にして、ネジ螺着部６１ｄについても電源ユニット７からのコモン線であるリード線１０ｂの圧着端子１１ｂと共にプリント配線板６の裏面側からネジ螺着部６１ｄの孔６１ｄ１に端子固定ネジ８ｂを貫通させ、コの字状端子４の当接面４ｂに設けられた固定ネジ孔４ｄに端子固定ネジ８ｂを螺着する。さらに、端子固定ネジ８ｃ、８ｄをプリント配線板６の裏面側からネジ螺着部６１ａ、６１ｂの孔６１ａ１、６１ｂ１を貫通させ、コの字状端子４の当接面４ｂに設けられた固定ネジ孔４ｄに端子固定ネジ８ｃ、８ｄを螺着する。
【００２１】
以上説明した手順により、各端子固定ネジ８ａ、８ｂ、８ｃ、８ｄをコの字状端子４の当接面４ｂに設けられた固定ネジ孔４ｄに螺着することにより、プリント配線板６がコの字状端子４の当接面４ｂに固着されるとともに、リード線１０ａ、１０ｂがプリント配線板６へ接続され、電源ユニット７とプリント配線板６間、及びプリント配線板６とコの字状端子４の外部接続面４ａ間の電気的接続が完了する。
【００２２】
次に、電源ユニット７からの出力のリード線１０ｃの圧着端子１１ｃと共にプリント配線板６の接続部６５の孔６５ａを貫通して配線固定ネジ１３をカバー１のナット用凹部１ｂに配設されたナット１２に螺着する。続いて、電源ユニット７の突起７ａと、カバー１の係合凹部１ｃとを係合させ、電源ユニット７をカバー１に嵌着する。
【００２３】
最後に、電源ユニット７を収納するようにカバー１の係合凸部１ｄとベース２の穴部２ａを係合させ、ベース２をカバー１に嵌装し、配線用遮断器の付属装置１００の組み立てが完了する。
【００２４】
コの字状端子４の外部接続面４ａからの外部接続が、コの字状端子、プリント配線板６のネジ螺着部６１ｃ及び６１ｄに接続され、ネジ螺着部６１ｃ及び６１ｄのスルーホールを介してプリント配線板６の裏面に螺着されたリード線１０ａ及び１０ｂにそれぞれ接続される。また、端子固定ネジ８ａ、８ｂを導電性材料とすれば、コの字状端子４の当接面４ｂとリード線１０ａ及び１０ｂの電気的接続は、端子固定ネジ８ａ、８ｂを介しても行われる。
【００２５】
本実施の形態によれば、外部接続端子は、外部接続を行う外部接続面４ａと、この外部接続面４ａと対向する面に機能ユニット５の一部であるプリント配線板６の導電部を当接する当接面４ｂとを有するコの字状端子４とし、当接面４ｂにプリント配線板６の導電部を端子固定ネジ８で螺着するので、半田付けを用いる必要がなく、プリント配線板６と外部接続端子の接続及び固定を容易に行うことができる。
【００２６】
機能ユニット５とコの字状端子４を接続するリード線１０が、プリント配線板６と共に当接面４ｂに端子固定ネジ８により螺着されるので、リード線１０を半田付けする必要もなく配線が簡略化できる。端子固定ネジ８を導電性材料とすれば、端子固定ネジ８を介してリード線１０とコの字状端子４が電気的に接続されるので、接続の信頼性が向上する。
【００２７】
また、コの字状端子４の当接面４ｂをプリント配線板６と同一平面状に配置したので、コの字状端子４にプリント配線板６を端子固定ネジ８により螺着でき、組み立て作業性が向上しコストを低減できる。
【００２８】
また、カバー１は、コの字状端子４の凹部４ｅに配設され、外部接続面４ａに螺着される端子ネジ９と係合する係止部１ａを有するので、組み立て途中でコの字状端子４がカバー１から脱落することがなく、組み立てが容易になると共に、コの字状端子４とカバー１の固着を強固にすることができる。
【００２９】
また、カバー１の係止部１ａを抱え込むようにコの字状端子４を装着した後、コの字状端子４上へのプリント配線板６の載置、端子固定ネジ８のコの字状端子４への螺着、電源ユニット７のカバー１への嵌着、ベース２のカバー１への嵌装、の順番で１方向から組み立てることができ、付属装置１００の組み立てが容易になる。
【００３０】
また、カバー１の歪みやコの字状端子４の外部接続面４ａと当接面４ｂの平行度や間隔にバラつきがあってもプリント配線板６に設けられたスリット大６２とスリット小６４により、プリント配線板６のネジ螺着部６１が応動するので、機能ユニット５の制御回路６３に加わる応力を低減することができ、付属装置１００の信頼性が向上する。
【符号の説明】
【００３１】
１  カバー、２  ベース、３  筐体
４  コの字状端子、４ａ  外部接続面、４ｂ  当接面、５  機能ユニット、
６  プリント配線板、６１  ネジ螺着部、６２  スリット大、  ６４  スリット小、
８  端子固定ネジ、９  端子ネジ、
１０  リード線、１００  配線用遮断器の付属装置。
【図１】
2011150845.tif 000003
【図２】
2011150845.tif 000004
【図３】
2011150845.tif 000005
【図４】
2011150845.tif 000006
【図５】
2011150845.tif 000007
【図６】
2011150845.tif 000008